(57)【要約】  簡易な構成で、下りリンクデータの応答、下りリンクのＣＱＩ、上りリンクのデータ送信要求が同時にあった場合に、すべてのデータを一度に送信すると共に、ＰＡＰＲを低く抑える。システム帯域内で一定の周波数帯域幅を有する複数のシングルキャリアのいずれかを使用して、少なくとも一つの基地局装置に対してデータの送信を行なう移動局装置１−１であって、各々が独立して一つのシングルキャリアを送信する複数の送信部１０−１、１０−２と、送信部１０−１、１０−２が、所定の時間区間において、周波数帯域が相互に異なる一つのシングルキャリアで一つの物理チャネルを送信するように制御を行なう送信データ制御部２０と、を備える。
2010032687.tif 000002
【特許請求の範囲】
【請求項１】
システム帯域内で一定の周波数帯域幅を有する複数のシングルキャリアのいずれかを使用して、少なくとも一つの基地局装置に対してデータの送信を行なう移動局装置であって、
各々が独立して一つのシングルキャリアを送信する複数の送信部と、
前記各送信部が、所定の時間区間において、周波数帯域が相互に異なる一つのシングルキャリアで一つの物理チャネルを送信するように制御を行なう送信データ制御部と、を備えることを特徴とする移動局装置。
【請求項２】
前記送信データ制御部は、前記システム帯域内で周波数帯域が異なる複数のシングルキャリアのうち、前記送信部の個数以下の個数のいずれかのシングルキャリアを選択し、選択したシングルキャリアを前記いずれかの送信部に送信させる制御を行なうことを特徴とする請求項１記載の移動局装置。
【請求項３】
請求項１または請求項２記載の移動局装置と、少なくとも一つの基地局装置と、から構成されることを特徴とする移動通信システム。
【請求項４】
システム帯域内で一定の周波数帯域幅を有する複数のシングルキャリアのいずれかを使用して、移動局装置が基地局装置に対してデータの送信を行なう送信方法であって、
各々が独立して一つのシングルキャリアを送信する複数の送信部のそれぞれが、所定の時間区間において、周波数帯域が相互に異なる一つのシングルキャリアで一つの物理チャネルを送信することを特徴とする送信方法。
【発明の詳細な説明】
【技術分野】
【０００１】
本発明は、システム帯域内で一定の周波数帯域幅を有する複数のシングルキャリアのいずれかを使用して、基地局装置に対してデータの送信を行なう移動局装置、これを用いた移動通信システムおよび送信方法に関する。
【背景技術】
【０００２】
従来から、３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。一方、３ＧＰＰでは、第三世代無線アクセスの進化（Evolved Universal Terrestrial Radio Access；以下、「ＥＵＴＲＡ」と呼称する。）の標準化が進められている。ＥＵＴＲＡでは、下りリンクの通信方式として、マルチパス干渉に強く、高速伝送に適したＯＦＤＭ（Orthogonal Frequency Division Multiplexing）方式を採用している。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform）−Ｓｐｒｅａｄ  ＯＦＤＭ方式を採用している。【０００３】
図１０は、ＤＦＴ−Ｓｐｒｅａｄ  ＯＦＤＭ方式を採用した送信機の構成を示す図である。図１０に示す送信機では、データ（送信ビット列）は、変調・符号化部１００１により符号化され、変調がなされる。変調・符号部１００１が変調した変調信号は、シリアル／パラレル変換され、並列化された後に、ＤＦＴ部１００３により周波数軸上の信号に変換される。その後、この周波数軸上の信号は、サブキャリアマッピング部１００４により各サブキャリアへマッピングされる。このとき、割り当てられないサブキャリアには０が入力される。次に、マッピングされた周波数軸上の送信信号は、ＩＦＦＴ（逆フーリエ変換）部１００５により時間軸の信号に変換され、パラレル／シリアル変換されて、時間軸の信号が直列化される。直列化された信号は、ＣＰ（Cyclic Prefix）付加部１００７によりＣＰを挿入される。ＣＰが挿入された信号は、Ｄ／Ａ変換部１００８によりアナログ信号に変換され、ＲＦ部１００９により無線周波数にアップコンバートされ、送信アンテナ１０１０から送信される。【０００４】
図１１は、ＥＵＴＲＡの上りリンクおよび下りリンクのチャネルを示す図である。ＥＵＴＲＡの下りリンクは、下りリンクパイロットチャネルＤＰｉＣＨ（Downlink Pilot Channel）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、共通制御チャネルＣＣＰＣＨ（Common Control Physical Channel）により構成されている。【０００５】
一方、ＥＵＴＲＡの上りリンクは、上りリンクパイロットチャネルＵＰｉＣＨ（UplinkPilot Channel）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている（非特許文献１）。上りリンク制御チャネルＰＵＣＣＨは、下りリンク共用チャネルＰＤＳＣＨで基地局装置から移動局装置に送信される下りリンクデータの応答や下りリンクの無線伝搬路状況を示す下りリンクのＣＱＩ（Channel Quality Indicator）の報告および移動局装置からの上りリンクデータ送信の要求のために各移動局装置に割り当てられる。【０００６】
図１２は、上りリンクのチャネル構成を示す図である。なお、図１２では、ランダムアクセスチャネルＲＡＣＨと上りリンクパイロットチャネルＵＰｉＣＨは、図示されていない。図１２に示すように、複数のサブキャリアから構成されるリソースブロック（ＲＢ）が、周波数軸上に多数あり、上りリンク制御チャネルＰＵＣＣＨが、周波数帯域の外側に配置され、上りリンク共用チャネルＰＵＳＣＨが上りリンク制御チャネルＰＵＣＣＨに挟まれる形に配置されている。【０００７】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ１００ＭＨｚ帯域幅までの帯域を使用して、最大で下りリンク１Ｇｂｐｓ以上、上りリンク５００Ｍｂｐｓ以上の伝送レートの通信を行なうことを想定している。【０００８】
図１３Ａおよび図１３Ｂは、２０ＭＨｚの帯域を２個束ねた上りリンクのチャネル構成を示す図である。図１３Ａおよび図１３Ｂに示すように、Ａｄｖａｎｃｅｄ−ＥＵＴＲＡでは、ＥＵＴＲＡの移動局装置も収容できるようにＥＵＴＲＡの２０ＭＨｚの帯域を複数個束ねて、更なる伝送レートの向上を目指している。【０００９】
Ａｄｖａｎｃｅｄ−ＥＵＴＲＡにおいても移動局装置のコストと消費電力を考慮し、送信信号のピーク対平均電力比（ＰＡＰＲ）を低減できるＳＣ−ＦＤＭＡ方式が提案されている。図１４は、Ａｄｖａｎｃｅｄ−ＥＵＴＲＡにおいて提案されている上りリンクの移動局装置の構成を示す図である（非特許文献２）。これは、図１０で説明したＤＦＴ−ＩＦＦＴ処理を、送信帯域毎に行なう構成を採っている。すなわち、図１４の変調・符号化部１００１ａ〜ＩＦＦＴ部１００５ａは、図１５Ａに示す送信帯域を使用する。一方、図１４の変調・符号化部１００１ｂ〜ＩＦＦＴ部１００５ｂは、図１５Ｂに示す送信帯域を使用する。そして、ＣＰを挿入する前段階で信号を合成し、ＣＰ挿入後に移動局装置のアンテナから無線信号を送信する。なお、Ａｄｖａｎｃｅｄ−ＥＵＴＲＡでは、上りリンクおよび下りリンクでＭＩＭＯ（Multi Input Multi Output）送信を想定している。
【非特許文献１】R1-081948 , NTT DoCoMo ,“Proposals for LTE-Advanced Technologies“, 3GPP TSG RAN WG1 Meeting #53, Kansas City, USA, May 5 - 9, 2008
【非特許文献２】R1-082609 , Nokia Siemens Networks, Nokia, ”Uplink Multiple access for LTE-Advanced”, 3GPP RAN WG1 Meeting #53bis Warsaw, Poland, June 30th - July 4th, 2008
【発明の開示】
【発明が解決しようとする課題】
【００１０】
しかしながら、図１４に示す移動局装置の送信機の構成では、ＲＦ部１００９（信号増幅器）に入力される前に各帯域の信号の合成を行なってしまうので、ＰＡＰＲは、図１０で示した通常のＳＣ−ＦＤＭＡのＰＡＰＲより高くなってしまい、移動局装置のコストと消費電力に影響がでてしまう。【００１１】
また、図１０に示す送信機の構成において、全送信帯域をカバーしようとすると、上りリンク共用チャネルＰＵＳＣＨ間に上りリンク制御チャネルＰＵＣＣＨが存在するので、別々の上りリンク共用チャネルＰＵＳＣＨの帯域には、シングルキャリアの制限で同時にデータを送信することはできない。すなわち、基地局装置は、移動局装置に対して帯域を跨いでＰＵＳＣＨの割り当てをすることができない。また、基地局装置は、移動局装置宛の下りリンク共用チャネルＰＤＳＣＨのデータに対する応答に対しても、同様に複数の応答を返すことができない。ＯＦＤＭのようなマルチキャリアを使用すれば上記問題は解決するが、図１４で示した送信機の構成よりもＰＡＰＲが高くなってしまうという問題がある。【００１２】
さらに、現状のＥＵＴＲＡシステムでは、上りリンクの送信方法がシングルキャリアであるため、上りリンク制御チャネルにおいて、下りリンクデータの応答、下りリンクのＣＱＩ、上りリンクのデータ送信要求が同時にあった場合、すべてのデータを一度に送信することができないという問題もある。【００１３】
本発明は、このような事情に鑑みてなされたものであり、簡易な構成で、下りリンクデータの応答、下りリンクのＣＱＩ、上りリンクのデータ送信要求が同時にあった場合に、すべてのデータを一度に送信することができると共に、ＰＡＰＲを低く抑えることができる移動局装置、移動通信システムおよび送信方法を提供することを目的とする。
【課題を解決するための手段】
【００１４】
（１）上記の目的を達成するために、本発明は、以下のような手段を講じた。すなわち、本発明の移動局装置は、システム帯域内で一定の周波数帯域幅を有する複数のシングルキャリアのいずれかを使用して、少なくとも一つの基地局装置に対してデータの送信を行なう移動局装置であって、各々が独立して一つのシングルキャリアを送信する複数の送信部と、前記各送信部が、所定の時間区間において、周波数帯域が相互に異なる一つのシングルキャリアで一つの物理チャネルを送信するように制御を行なう送信データ制御部と、を備えることを特徴としている。【００１５】
このように、各送信部が、所定の時間区間において、周波数帯域が相互に異なる一つのシングルキャリアで一つの物理チャネルを送信するように制御を行なうので、簡易な構成で、シングルキャリアの特性を維持したまま、複数のデータを同時に送信することができる。その結果、ＰＡＰＲを低く抑えることができると共に、装置のコストや消費電力を低く抑えることが可能となる。【００１６】
（２）また、本発明の移動局装置において、前記送信データ制御部は、前記システム帯域内で周波数帯域が異なる複数のシングルキャリアのうち、前記送信部の個数以下の個数のいずれかのシングルキャリアを選択し、選択したシングルキャリアを前記いずれかの送信部に送信させる制御を行なうことを特徴としている。【００１７】
このように、システム帯域内で周波数帯域が異なる複数のシングルキャリアのうち、送信部の個数以下の個数のいずれかのシングルキャリアを選択し、選択したシングルキャリアをいずれかの送信部に送信させるので、シングルキャリアの特性を維持したまま、複数のデータを同時に送信することができる。また、システム帯域全体を用いてＭＩＭＯ送信が可能となる。さらに、ＩＦＦＴのポイント数が少なくて済み、回路規模の縮小化を図ることが可能となる。【００１８】
（３）また、本発明の移動通信システムは、上記（１）または（２）記載の移動局装置と、少なくとも一つの基地局装置と、から構成されることを特徴としている。【００１９】
この構成により、移動局装置における各送信部が、所定の時間区間において、周波数帯域が相互に異なる一つのシングルキャリアで一つの物理チャネルを送信するように制御を行なうので、簡易な構成で、シングルキャリアの特性を維持したまま、複数のデータを同時に送信することができる。その結果、ＰＡＰＲを低く抑えることができると共に、装置のコストや消費電力を低く抑えることが可能となる。【００２０】
（４）また、本発明の送信方法は、システム帯域内で一定の周波数帯域幅を有する複数のシングルキャリアのいずれかを使用して、移動局装置が基地局装置に対してデータの送信を行なう送信方法であって、各々が独立して一つのシングルキャリアを送信する複数の送信部のそれぞれが、所定の時間区間において、周波数帯域が相互に異なる一つのシングルキャリアで一つの物理チャネルを送信することを特徴としている。【００２１】
このように、各送信部が、所定の時間区間において、周波数帯域が相互に異なる一つのシングルキャリアで一つの物理チャネルを送信するように制御を行なうので、簡易な構成で、シングルキャリアの特性を維持したまま、複数のデータを同時に送信することができる。その結果、ＰＡＰＲを低く抑えることができると共に、装置のコストや消費電力を低く抑えることが可能となる。
【発明の効果】
【００２２】
本発明によれば、簡易な構成で、シングルキャリアの特性を維持したまま、複数のデータを同時に送信することができる。その結果、ＰＡＰＲを低く抑えることができると共に、装置のコストや消費電力を低く抑えることが可能となる。
【図面の簡単な説明】
【００２３】
【図１】第１の実施形態に係る移動局装置の概略構成を示すブロック図である。
【図２】移動局装置のシステム帯域を示す図である。
【図３】下りリンクのチャネル構成を示す図である。
【図４Ａ】移動局装置が上りリンクでデータを送信する場合の動作例を示す図である。
【図４Ｂ】移動局装置が上りリンクでデータを送信する場合の動作例を示す図である。
【図５Ａ】移動局装置が上りリンクでデータを送信する場合の動作例を示す図である。
【図５Ｂ】移動局装置が上りリンクでデータを送信する場合の動作例を示す図である。
【図５Ｃ】移動局装置が上りリンクでデータを送信する場合の動作例を示す図である。
【図６】第２の実施形態に係る移動局装置の概略構成を示すブロック図である。
【図７Ａ】第２の実施形態に係る移動局装置のシステム帯域を示す図である。
【図７Ｂ】第２の実施形態に係る移動局装置のシステム帯域を示す図である。
【図８】第３の実施形態に係る移動局装置の概略構成を示すブロック図である。
【図９Ａ】第３の実施形態に係る移動局装置のシステム帯域を示す図である。
【図９Ｂ】第３の実施形態に係る移動局装置のシステム帯域を示す図である。
【図１０】ＤＦＴ−Ｓｐｒｅａｄ  ＯＦＤＭ方式を採用した送信機の構成を示す図である。
【図１１】ＥＵＴＲＡの上りリンクおよび下りリンクのチャネルを示す図である。
【図１２】上りリンクのチャネル構成を示す図である。
【図１３Ａ】２０ＭＨｚの帯域を２個束ねた上りリンクのチャネル構成を示す図である。
【図１３Ｂ】２０ＭＨｚの帯域を２個束ねた上りリンクのチャネル構成を示す図である。
【図１４】Ａｄｖａｎｃｅｄ−ＥＵＴＲＡにおいて提案されている上りリンクの移動局装置の構成を示す図である。
【図１５Ａ】図１４に示す変調・符号化部１００１ａ〜ＩＦＦＴ部１００５ａが使用する送信帯域を示す図である。
【図１５Ｂ】図１４に示す変調・符号化部１００１ｂ〜ＩＦＦＴ部１００５ｂが使用する送信帯域を示す図である。
【図１６】ネットワークＭＩＭＯを示す図である。
【図１７】下りリンクのチャネル構成を示す図である。
【図１８】移動局装置が上りリンクでデータを送信する場合の動作例を示す図である。
【図１９Ａ】移動局装置が上りリンクでデータを送信する場合の動作例を示す図である。
【図１９Ｂ】移動局装置が上りリンクでデータを送信する場合の動作例を示す図である。
【図１９Ｃ】移動局装置が上りリンクでデータを送信する場合の動作例を示す図である。
【符号の説明】
【００２４】
１−１、１−２、１−３  移動局装置
１０−１、１０−２  送信部
１１−１、１１−２  変調・符号化部
１２−１、１２−２  ＤＦＴ部
１３−１、１３−２  サブキャリアマッピング部
１４−１、１４−２  Ｎ１−ｐｏｉｎｔ  ＩＦＦＴ部
１４−３、１４−４  Ｎ２−ｐｏｉｎｔ  ＩＦＦＴ部
１５−１、１５−２  ＣＰ付加部
１６−１、１６−２  Ｄ／Ａ変換部
１７−１、１７−２  ＲＦ部
１８−１、１８−２、１８−３  アンテナ
２０  送信データ制御部
３０−１、３０−２、３０−３  ＲＦ部
４０  ＯＦＤＭ受信部
５０  受信データ制御部
６０  上りリンク制御部
６１  送信制御部
６２  制御データ解析部
６３  制御データ作成部
７０  ＲＦ制御部
８０  合成部
【発明を実施するための最良の形態】
【００２５】
（第１の実施形態）
本実施形態では、図１１で示したチャネル構成を使用し、図１２に示したような構成のシステムを複数束ねて、図１３に示したように構成される無線通信システムを想定している。ここでは、図１３に示したように、基本システム帯域を２つ束ねた例を用いて説明する。また、上記システムの中では、ＭＩＭＯ（Multi Input Multi Output）を用いた通信を行なうことを想定したシステムである。つまり、移動局装置および基地局装置は、複数のアンテナを含んだ複数の送受信部を持っている。ここで述べるＭＩＭＯとは、送受信局に複数のアンテナを装備し、同一周波数干渉環境下でも異なる信号系列の同時空間多重化伝送を可能とする技術のことを言い、送受信局間の反射物などによって複数の異なる伝搬路が形成されることを利用し、これらの複数の伝搬路情報を有効に使うことによって、空間多重化された複数の信号系列を復調する。【００２６】
図１は、第１の実施形態に係る移動局装置の概略構成を示すブロック図である。また、図２は、基地局装置および移動局装置のシステム帯域を示す図である。本実施形態に係る移動局装置１−１は、送信部１０−１および送信部１０−２を有する。送信部１０−１および送信部１０−２は、それぞれ、図２に示すシステム帯域全体の周波数帯域を用いて送信をすることができる。送信部１０−１および送信部１０−２は、それぞれ、変調・符号化部１１−１、１１−２、ＤＦＴ（Discrete Fourier Transform：離散フーリエ変換）部１２−１、１２−２、サブキャリアマッピング部１３−１、１３−２、Ｎ１−ｐｏｉｎｔ  ＩＦＦＴ（Inverse Fast Fourier Transform：逆高速フーリエ変換）部１４−１、１４−２、ＣＰ（Cyclic Prefix：サイクリック  プリフィックス）付加部１５−１、１５−２、Ｄ／Ａ変換部（ディジタル／アナログ変換部）１６−１、１６−２、ＲＦ（Radio Frequency）部１７−１、１７−２、アンテナ１８−１、１８−２を備えている。【００２７】
また、移動局装置１−１は、送信データ制御部２０、（受信）ＲＦ部３０−１、３０−２、ＯＦＤＭ受信部４０、受信データ制御部５０、上りリンク制御部６０を備えている。上りリンク制御部６０は、送信制御部６１、制御データ解析部６２、制御データ作成部６３から構成される。【００２８】
データは、送信データ制御部２０に入力され、送信データ制御部２０は、上りリンク制御部６０の指示により、各データを各変調・符号化部１１−１、１１−２に振り分ける。送信データ制御部２０からの信号は、変調・符号化部１１−１、１１−２に入力され、符号化され、変調を施される。変調された信号は、シリアル／パラレル変換され、並列化された後に、ＤＦＴ部１２−１、１２−２により周波数軸上の信号に変換される。その後、この周波数軸上の信号は、サブキャリアマッピング部１３−１、１３−２により各サブキャリア（各上りリンクのチャネル）へマッピングされる。このとき、割り当てられないサブキャリア（チャネル）には０が入力される。【００２９】
次に、マッピングされた周波数軸上の送信信号は、Ｎ１−ｐｏｉｎｔ  ＩＦＦＴ部１４−１、１４−２により時間軸の信号に変換され、パラレル／シリアル変換され時間軸の信号は直列化される。直列化された信号は、ＣＰ付加部１５−１、１５−２によりＣＰを挿入される。ＣＰが挿入された信号は、Ｄ／Ａ変換部１６−１、１６−２によりアナログ信号に変換され、ＲＦ部１７−１、１７−２により無線周波数にアップコンバートされ、アンテナ１８−１、１８−２から送信される。【００３０】
なお、上記の変調・符号化部、ＤＦＴ部、サブキャリアマッピング部、ＩＦＦＴ部、ＣＰ付加部、Ｄ／Ａ変換部、ＲＦ部、アンテナはＭＩＭＯの送信数の数だけあり、それぞれを含めて送信部１０−１、送信部１０−２とする。また、Ｎ１−ｐｏｉｎｔ  ＩＦＦＴ部はシステムの全帯域を処理できるポイント数Ｎ１を持っているＩＦＦＴである。【００３１】
また、上記のように、上りリンク制御部６０は、送信制御部６１、制御データ解析部６２、制御データ作成部６３から構成され、受信データ制御部５０が受信した下りリンクのデータの応答を作成し、上りリンクデータのスケジューリング情報を解析し、スケジューリング情報等を基に送信データ制御部２０、変調・符号化部１１−１、１１−２、サブキャリアマッピング部１３−１、１３−２を制御する。詳細の動作については後述する。【００３２】
ＲＦ部３０−１、３０−２は、アンテナ１８−１、１８−２より受信した無線信号をダウンコンバートし、ＯＦＤＭ受信部４０に出力する。ＯＦＤＭ受信部４０は、ＲＦ部３０−１、３０−２から入力された信号を、Ａ／Ｄ（アナログ／ディジタル）変換し、ＦＦＴ（Fast Fourier Transform：高速フーリエ変換）処理、復号化、復調処理等を行ない、復調したデータを受信データ制御部５０に出力する。また、下りリンクの無線環境を測定し、結果を上りリンク制御部６０に出力する。【００３３】
受信データ制御部５０は、ＯＦＤＭ受信部４０で復調されたデータを、制御データとユーザーデータに分ける。制御データを上りリンク制御部６０に出力し、ユーザーデータを上位層に出力する。また、受信したデータに対する応答を返すように上りリンク制御部６０に指示する。【００３４】
上りリンク制御部６０において、制御データ解析部６２が、受信データ制御部５０から基地局装置から受信したスケジューリング情報を受け取ると、そのスケジューリング情報からＭＩＭＯ送信であるか、シングルキャリア送信であるかを判断する。送信制御部６１は、送信データ制御部２０に対して、上位層から入力されたデータ列を、送信部１０−１または送信部１０−２のどちらを使用して送信するか選択するように指示する。それに応じて、各送信部１０−１、１０−２の変調・符号化部１１−１、１１−２およびサブキャリアマッピング部１３−１、１３−２を制御する。【００３５】
制御データ作成部６３は、下りリンクの受信データの応答や下りリンクの無線伝搬路状況を示す下りリンクＣＱＩ（Channel Quality Indicator）、上りリンクのデータ送信要求等を作成し、送信制御部６１に各送信部１０−１、１０−２を制御するように指示する。送信制御部６１は、各送信部１０−１、１０−２を制御し、各上りリンクのチャネル（上りリンク共用チャネルＰＵＳＣＨ、上りリンク制御チャネルＰＵＣＣＨ）にマッピングし、データを基地局装置に送信する。【００３６】
図３は、下りリンクのチャネル構成を示す図である。図３では、基地局装置が移動局装置に対して下りリンクで２つのデータを割り当て、移動局装置がデータを受信した場合を示す。ここで、シングルキャリアによる送信の場合、このデータそれぞれに対して応答を送信することはできない。応答を送信する場合、２つの応答を１つにして送信しなければならない。この場合、上りリンク制御部６０の制御データ作成部６３は、受信データ制御部５０からデータ受信情報を取得すると、送信データ制御部２０に２つの上りリンク制御チャネルの位置で応答を返すように指示する。【００３７】
制御データ作成部６３は、下りリンクデータに対する応答を作成し、送信データ制御部２０に応答データを出力する。また、各変調・符号化部１１−１、１１−２に変調方式、符号化率を設定し、各サブキャリアマッピング部１３−１、１３−２に応答データの配置を指示する。【００３８】
図４Ａおよび図４Ｂは、移動局装置が上りリンクで制御データを送信する場合の動作例を示す図である。移動局装置１−１（ＵＥ１）は、図３で示したＰＤＳＣＨの場所で下りリンクデータ（Ｄ１、Ｄ２）を受信する。両方のデータ受信が成功または失敗すると、受信データ制御部５０は、上りリンク制御部６０に対して、Ｄ１に対する応答（成功／失敗）は、図４Ａに示すＣ１の位置で送信し、Ｄ２対する応答（成功／失敗）は、図４Ａに示すＣ６位置で送信するように指示する。上りリンク制御部６０の制御データ作成部６３は、受信データ制御部５０から指示された下りリンクデータの応答を作成し、作成した応答データを、送信データ制御部２０に出力する。【００３９】
そして、制御データ作成部６３は、送信データ制御部２０に対して、Ｄ１の応答データを送信部１０−１で送信し、Ｄ２の応答データを送信部１０−２で送信するように指示し、変調・符号化部１１−１、１１−２に変調・符号化率を指示し、サブキャリアマッピング部１３−１、１３−２に、Ｃ１およびＣ６に応答データを配置するように指示する。そして、各送信部１０−１、１０−２から応答データが送信される。【００４０】
また、図４Ｂに示す例も図４Ａと同様である。すなわち、図４Ｂでは、図３に示すＤ１に対する応答データを、Ｃ１の位置で送信する。また、図３に示すＤ２に対する応答データを、Ｃ３の位置で送信する。【００４１】
なお、本実施形態では、２アンテナの構成を示したが３アンテナ以上の場合でも同様である。【００４２】
以上のように、本実施形態によれば、同時に２つ以上の応答を同時に送信することができる。すなわち、下りリンクデータの応答や下りリンクＣＱＩ、上りリンクのデータ送信要求などの上りリンク制御データが同時に発生し、同時に発生した制御データを同時に送信したい場合でも、別々の送信部を使用することにより、異なる上りリンク制御データを異なる場所で同時に送信できる。また、異なる送信部を使用しているので、１つの送信部ではシングルキャリア送信が行なわれる。これにより、ＰＡＰＲを低く抑えることが可能となる。【００４３】
次に、移動局装置が上りリンクデータを送信する場合を説明する。図５Ａ〜図５Ｃは、移動局装置が上りリンクでデータを送信する場合の動作例を示す図である。まず、移動局装置１−１（ＵＥ１）は、図５Ａで示した場所で上りリンクデータを送信するように基地局装置に指示される。つまり、下りリンク制御チャネルＰＤＣＣＨに割り当てられた上りリンクのスケジューリング情報を受信する。受信データ制御部５０は上りリンク制御部６０に下りリンク制御チャネルＰＤＣＣＨの制御データを出力する。上りリンク制御部６０の制御データ解析部６２は、下りリンク制御チャネルの制御データを解析する。解析した結果、Ｕ１とＵ４でデータを送信可能であると判断すると、制御データ解析部６２は、上りリンク制御部６０の送信制御部６１に、上りリンクの送信データの配置情報および変調・符号化情報を出力する。送信制御部６１は、送信データ制御部２０に対して、位置Ｕ１を送信部１０−１で送信し、Ｕ４を送信部１０−２で送信するように指示する。そして、変調・符号化部１１−１、１１−２に変調・符号化率を指示し、サブキャリアマッピング部１３−１、１３−２に上りリンクデータを配置する位置を指示する。そして、各送信部から上りリンクの送信データが送信される。【００４４】
また、図５Ｂに示す例も、図５Ａと同様である。すなわち、図５Ｂでは、移動局装置１−１（ＵＥ１）は、図５Ｂで示した場所で上りリンクデータを送信するように基地局装置に指示される。そして、移動局装置は、位置Ｕ１を送信部１０−１で送信し、Ｕ２を送信部１０−２で送信する。【００４５】
なお、本実施形態では、２アンテナの構成を示したが３アンテナ以上の場合でも同様である。【００４６】
以上のように、本実施形態によれば、同時に２つ以上のデータを異なる場所で同時に送信することができる。また、異なる送信部を使用しているので、１つの送信部ではシングルキャリア送信が行なわれる。これにより、ＰＡＰＲを低く抑えることが可能となる。【００４７】
次に、通常のＭＩＭＯでの上りリンクデータを送信する場合について説明する。図５Ｃに示すように、移動局装置１−１（ＵＥ１）は、図５Ｃで示した場所でＭＩＭＯでの上りリンクデータを送信するように基地局装置に指示される。つまり、下りリンク制御チャネルＰＤＣＣＨに割り当てられた上りリンクのスケジューリング情報を受信する。受信データ制御部５０は、上りリンク制御部６０に下りリンク制御チャネルＰＤＣＣＨの制御データを出力する。上りリンク制御部６０の制御データ解析部６２は、下りリンク制御チャネルの制御データを解析する。解析した結果、ＭＩＭＯを使用してのＵ１でデータを送信可能であると判断すると、制御データ解析部６２は、上りリンク制御部６０の送信制御部６１に、上りリンクの送信データの配置情報および変調・符号化情報を出力する。送信制御部６１は、送信データ制御部２０に対して、位置Ｕ１を送信部１０−１で送信し、同様にＵ１を送信部１０−２で送信するように指示する。そして、変調・符号化部１１−１、１１−２に変調・符号化率を指示し、また、ＭＩＭＯ用の符号化も指示する。サブキャリアマッピング部１３−１、１３−２に上りリンクデータを配置する位置を指示する。そして、各送信部から上りリンクの送信データが送信される。【００４８】
以上のように、本実施形態によれば、複数のアンテナを用いＭＩＭＯ送信する送信部を適応的に制御することで、シングルキャリアの特性を維持したまま、複数のデータを同時に送信することができる。【００４９】
（第２の実施形態）
上記の第１の実施形態では、各送信部は、それぞれが全体のシステム帯域をカバーしていた。これに対し、第２の実施形態では、各送信部は、相互に独立した帯域のみをカバーし、全部の送信部を合わせてシステム全体の帯域をカバーする構成を採る。【００５０】
図６は、第２の実施形態に係る移動局装置の概略構成を示すブロック図である。また、図７Ａおよび図７Ｂは、第２の実施形態に係る移動局装置のシステム帯域を示す図である。基地局装置は、第１の実施形態と同様に図３のようなシステム帯域を受信できる構成している。そして、図６に示すように、第２の実施形態に係る移動局装置は、送信部を２つ有する（１０−１、１０−２）。送信部１０−１は、図７Ａに示す基本のシステム帯域を用いて送信をすることができ、送信部１０−２は、図７Ｂに示す基本のシステム帯域の送信をすることができる。そして、２つの送信部１０−１、１０−２で、全体のシステム帯域の送信をすることができる。【００５１】
図６に示すように、第２の実施形態に係る移動局装置１−２は、図１で示した第１の実施形態に係る移動局装置１−１と同様に、送信データ制御部２０、変調・符号化部１１−１、１１−２、ＤＦＴ（Discrete Fourier Transform：離散フーリエ変換）部１２−１、１２−２、サブキャリアマッピング部１３−１、１３−２、Ｎ２−ｐｏｉｎｔ  ＩＦＦＴ部（Inverse Fast Fourier Transform：逆高速フーリエ変換）部１４−３、１４−４、ＣＰ（Cyclic Prefix：サイクリック  プリフィックス）付加部１５−１、１５−２、Ｄ／Ａ（ディジタル／アナログ）変換部１６−１、１６−２、ＲＦ（Radio Frequency）部１７−１、１７−２、アンテナ１８−１、１８−２、（受信）ＲＦ部３０−１、３０−２、ＯＦＤＭ受信部４０、受信データ制御部５０、上りリンク制御部６０、およびＲＦ制御部７０から構成される。上りリンク制御部６０は、送信制御部６１、制御データ解析部６２、および制御データ作成部６３から構成される。【００５２】
図１に示した第１の実施形態との違いは、Ｎ２−ｐｏｉｎｔ  ＩＦＦＴ部１４−３、１４−４を備えている。また、ＲＦ制御部７０が、上りリンク制御部６０からの指示により、ＲＦ部１７−１、１７−２で使用する周波数を制御する。ＲＦ部１７−１、１７−２は、ＲＦ制御部７０から指定された無線周波数にアップコンバートし、各送信部１０−１、１０−２のアンテナ１８−１、１８−２からデータを送信する。【００５３】
なお、変調・符号化部、ＤＦＴ部、サブキャリアマッピング部、ＩＦＦＴ部、ＣＰ付加部、Ｄ／Ａ変換部、ＲＦ部、アンテナは基本のシステム帯域分の数だけある。また、Ｎ２−ｐｏｉｎｔ  ＩＦＦＴ部は、システムの一部の帯域を処理できるポイント数Ｎ２を持っているＩＦＦＴであり、複数の送信系を持つことにより、システム帯域全体を処理する。【００５４】
下りリンクにおいて、図３に示したように、基地局装置が移動局装置に対して下りリンクで２つのデータを割り当て、移動局装置がデータを受信し、シングルキャリアで応答を送信する場合、このデータそれぞれに対して応答を送信することができない。応答を送信する場合、２つの応答を１つにして送信しなければならない。この場合、上りリンク制御部６０の制御データ作成部６３は、受信データ制御部５０からデータ受信情報を取得すると、送信データ制御部２０に２つの位置で応答を返すように指示する。制御データ作成部６３は、下りリンクデータに対する応答（成功／失敗）を作成し、送信データ制御部２０に応答データを出力する。また、各変調・符号化部１１−１、１１−２に変調方式、符号化率を設定し、各サブキャリアマッピング部１３−１、１３−２に応答データの配置を指示する。【００５５】
図３、図４Ａおよび図４Ｂを用いて具体的に説明する。移動局装置１−２（ＵＥ１）は、図３で示したＰＤＳＣＨの場所で下りリンクデータを受信する。両方のデータ受信が成功または失敗すると、受信データ制御部５０は、上りリンク制御部６０に対して、Ｄ１に対する応答（成功／失敗）は、図４Ａに示すＣ１の位置で送信し、Ｄ２対する応答（成功／失敗）は、図４Ａに示すＣ６位置で送信するように指示する。上りリンク制御部６０の制御データ作成部６３は、受信データ制御部５０から指示された下りリンクデータの応答を作成し、作成した応答データを送信データ制御部２０に出力する。【００５６】
そして、制御データ作成部６３は、送信データ制御部２０に対して、Ｄ１の応答データを送信部１０−１で、Ｄ２の応答データを送信部１０−２で送信するように指示し、変調・符号化部１１−１、１１−２に変調・符号化率を指示し、サブキャリアマッピング部１３−１、１３−２に、Ｃ１およびＣ６に応答データを配置するように指示する。また、上りリンク制御部６０の制御データ作成部６３は、ＲＦ制御部７０に対して、送信部１０−１は周波数ｗ１に設定し、送信部１０−２は周波数ｗ２に設定するように指示する。そして、各送信部１０−１、１０−２から応答データが送信される。【００５７】
また、図４Ｂに示す例も図４Ａと同様である。すなわち、ＲＦ制御部７０は、送信部１０−１を周波数ｗ１に設定し、送信部１０−２を周波数ｗ２に設定する。そして、図３に示すＤ１に対する応答データを、Ｃ１の位置で送信する。また、図３に示すＤ２に対する応答データを、Ｃ３の位置で送信する。【００５８】
なお、実施形態では、２アンテナの構成を示したが３アンテナ以上の場合でも同様である。【００５９】
以上のように、本実施形態によれば、同時に２つ以上の応答を同時に送信することができる。すなわち、下りリンクデータの応答や下りリンクＣＱＩ、上りリンクのデータ送信要求などの上りリンク制御データが同時に発生し、同時に発生した制御データを同時に送信したい場合でも、別々の送信部を制御して使用することにより、異なる上りリンク制御データを異なる場所で同時に送信することができる。また、異なる送信部を使用しているので、１つの送信部ではシングルキャリア送信が行なわれる。これにより、ＰＡＰＲを低く抑えることが可能となる。【００６０】
次に、図５Ａ〜図５Ｃを用いて、移動局装置が上りリンクデータを送信する場合を説明する。移動局装置１−２（ＵＥ１）は、図５Ａで示した場所で、上りリンクデータを送信するように基地局装置に指示される。つまり、下りリンク制御チャネルＰＤＣＣＨに割り当てられた上りリンクのスケジューリング情報を受信する。受信データ制御部５０は、上りリンク制御部６０に下りリンク制御チャネルＰＤＣＣＨの制御データを出力する。上りリンク制御部６０の制御データ解析部６２は、下りリンク制御チャネルの制御データを解析する。解析した結果、Ｕ１とＵ４でデータを送信可能であると判断すると、上りリンク制御部６０の制御データ解析部６２は、上りリンク制御部６０の送信制御部６１に、上りリンクの送信データの配置情報および変調・符号化情報を出力する。【００６１】
送信制御部６１は、送信データ制御部２０に対して、位置Ｕ１を送信部１０−１で送信し、Ｕ４を送信部１０−２で送信するように指示する。そして、変調・符号化部１１−１、１１−２に変調・符号化率を指示し、サブキャリアマッピング部１３−１、１３−２に上りリンクデータを配置する位置を指示する。また、上りリンク制御部６０の制御データ作成部６３は、ＲＦ制御部７０に対して送信部１０−１は周波数ｗ１に設定し、送信部１０−２は周波数ｗ２に設定するように指示する。そして、各送信部１０−１、１０−２から上りリンクの送信データが送信される。【００６２】
また、図５Ｂに示す例も、図５Ａと同様である。すなわち、図５Ｂでは、移動局装置１−２（ＵＥ１）は、図５Ｂで示した場所で上りリンクデータを送信するように基地局装置に指示される。ＲＦ制御部７０は、送信部１０−１を周波数ｗ１に設定し、送信部１０−２を周波数ｗ２に設定する。そして、移動局装置は、位置Ｕ１を送信部１０−１で送信し、Ｕ２を送信部１０−２で送信する。【００６３】
なお、実施形態では、２アンテナの構成を示したが３アンテナ以上の場合でも同様である。【００６４】
以上のように、本実施形態によれば、同時に２つ以上のデータを異なる場所で同時に送信することができる。また、異なる送信部を使用しているので、１つの送信部ではシングルキャリア送信が行なわれる。これにより、ＰＡＰＲを低く抑えることが可能となる。【００６５】
次に、通常のＭＩＭＯでの上りリンクデータを送信する場合について説明する。図５Ｃに示すように、移動局装置１−２（ＵＥ１）は、図５Ｃで示した場所でＭＩＭＯでの上りリンクデータを送信するように基地局装置に指示される。つまり、下りリンク制御チャネルＰＤＣＣＨに割り当てられた上りリンクのスケジューリング情報を受信する。受信データ制御部５０は、上りリンク制御部６０に下りリンク制御チャネルＰＤＣＣＨの制御データを出力する。【００６６】
上りリンク制御部６０の制御データ解析部６２は、下りリンク制御チャネルの制御データを解析する。解析した結果、ＭＩＭＯを使用してのＵ１でデータを送信可能であると判断すると、上りリンク制御部６０の制御データ解析部６２は、上りリンク制御部６０の送信制御部６１に、上りリンクの送信データの配置情報および変調・符号化情報を出力する。送信制御部６１は、送信データ制御部２０に対して、位置Ｕ１を送信部１０−１で送信し、同様にＵ１を送信部１０−２で送信するように指示する。そして、変調・符号化部１１−１、１１−２に変調・符号化率を指示し、また、ＭＩＭＯ用の符号化も指示する。サブキャリアマッピング部１３−１、１３−２に上りリンクデータを配置する位置を指示する。【００６７】
上りリンク制御部６０の制御データ作成部６３は、ＲＦ制御部７０に対して、送信部１０−１および送信部１０−２は周波数ｗ１に設定するように指示する。ＲＦ制御部７０は、指示された帯域の無線周波数にするように各ＲＦ部１７−１、１７−２に指示する。ＲＦ部１７−１、１７−２は、指示された無線周波数にアップコンバートする。そして、各送信部１０−１、１０−２から上りリンクの送信データが送信される。【００６８】
このように、帯域毎にシングルキャリア送信をすることができると共に、システム帯域全体をカバーすることができ、更に、移動局装置のＭＩＭＯ送信が可能となる。また、ＩＦＦＴのポイント数を少なくすることができるので、回路規模の縮小化を図ることが可能となる。【００６９】
（第３の実施形態）
第１の実施形態および第２の実施形態では、複数のアンテナを用いた例を示したが、第３の実施形態では、使用するアンテナが１本である例を示す。また、第３の実施形態は、第２の実施形態と同様に、各送信部は、相互に独立した帯域のみをカバーし、全部の送信部を合わせてシステム全体の帯域をカバーする構成を採る。【００７０】
図８は、第３の実施形態に係る移動局装置の概略構成を示すブロック図である。また、図９Ａおよび図９Ｂは、第３の実施形態に係る移動局装置のシステム帯域を示す図である。図８に示すように、第３の実施形態に係る移動局装置は、送信部を２つ有する（１０−１、１０−２）。送信部１０−１は、図９Ａに示す基本のシステム帯域を用いて送信をすることができ、送信部１０−２は、図７９に示す基本のシステム帯域の送信をすることができる。そして、２つの送信部１０−１、１０−２で、全体のシステム帯域の送信をすることができる。【００７１】
図８に示すように、第３の実施形態に係る移動局装置１−３は、図６で示した第２の実施形態に係る移動局装置１−２と同様に、送信データ制御部２０、変調・符号化部１１−１、１１−２、ＤＦＴ（Discrete Fourier Transform：離散フーリエ変換）部１２−１、１２−２、サブキャリアマッピング部１３−１、１３−２、Ｎ２−ｐｏｉｎｔ  ＩＦＦＴ（Inverse Fast Fourier Transform：逆高速フーリエ変換）部１４−３、１４−４、ＣＰ（Cyclic Prefix：サイクリック  プリフィックス）付加部１５−１、１５−２、Ｄ／Ａ（ディジタル／アナログ）変換部１６−１、１６−２、ＲＦ（Radio Frequency）部１７−１、１７−２、１本のアンテナ１８−３、（受信）ＲＦ部３０−３、ＯＦＤＭ受信部４０、受信データ制御部５０、上りリンク制御部６０、ＲＦ制御部７０、および合成部８０から構成される。上りリンク制御部６０は、送信制御部６１、制御データ解析部６２、および制御データ作成部６３から構成される。【００７２】
図６に示した第２の実施形態との違いは、アンテナ１８−３が１本になっており、各ＲＦ部１７−１、１７−２からの出力が、合成部８０で統合されるところにある。【００７３】
下りリンクにおいて、図３に示したように、基地局装置が移動局装置に対して下りリンクで２つのデータを割り当て、移動局装置がデータを受信し、シングルキャリアで応答を送信する場合、このデータそれぞれに対して応答を送信することができない。応答を送信する場合、２つの応答を１つにして送信しなければならない。この場合、上りリンク制御部６０の制御データ作成部６３は、受信データ制御部５０からデータ受信情報を取得すると、送信データ制御部２０に２つの位置で応答を返すように指示する。制御データ作成部６３は、下りリンクデータに対する応答（成功／失敗）を作成し、送信データ制御部２０に応答データを出力する。また、各変調・符号化部１１−１、１１−２に変調方式、符号化率を設定し、各サブキャリアマッピング部１３−１、１３−２に応答データの配置を指示する。【００７４】
図３、図４Ａおよび図４Ｂを用いて具体的に説明する。移動局装置１−３（ＵＥ１）は、図３で示したＰＤＳＣＨの場所で下りリンクデータを受信する。両方のデータ受信が成功または失敗すると、受信データ制御部５０は、上りリンク制御部６０に対して、Ｄ１に対する応答（成功／失敗）は、図４Ａに示すＣ１の位置で送信し、Ｄ２対する応答（成功／失敗）は、図４Ａに示すＣ６位置で送信するように指示する。上りリンク制御部６０の制御データ作成部６３は、受信データ制御部５０から指示された下りリンクデータの応答を作成し、作成した応答データを送信データ制御部２０に出力する。そして、制御データ作成部６３は、送信データ制御部２０に対して、Ｄ１の応答データを送信部１０−１で、Ｄ２の応答データを送信部１０−２で送信するように指示する。そして、変調・符号化部１１−１、１１−２に変調・符号化率を指示し、サブキャリアマッピング部１３−１、１３−２に、Ｃ１およびＣ６に応答データを配置するように指示する。また、制御データ作成部６３は、ＲＦ制御部７０に対して、送信部１０−１は周波数ｗ１に設定し、送信部１０−２は周波数ｗ２に設定するように指示する。そして、各送信部１０−１、１０−２から応答データが出力され、合成部８０で構成されて、１本のアンテナから送信される。【００７５】
また、図４Ｂに示す例も図４Ａと同様である。すなわち、ＲＦ制御部７０は、送信部１０−１を周波数ｗ１に設定し、送信部１０−２を周波数ｗ２に設定する。そして、図３に示すＤ１に対する応答データを、Ｃ１の位置で送信する。また、図３に示すＤ２に対する応答データを、Ｃ３の位置で送信する。【００７６】
以上のように、本実施形態によれば、同時に２つ以上の応答を同時に送信することができる。すなわち、下りリンクデータの応答や下りリンクＣＱＩ、上りリンクのデータ送信要求などの上りリンク制御データが同時に発生し、同時に発生した制御データを同時に送信したい場合でも、別々の送信部を制御して使用することにより、異なる上りリンク制御データを異なる場所で同時に送信できる。また、異なる送信部を使用しているので、１つの送信部ではシングルキャリア送信が行なわれる。これにより、ＰＡＰＲを低く抑えることが可能となる。【００７７】
次に、移動局装置が上りリンクデータを送信する場合を説明する。図５Ａ〜図５Ｃは、移動局装置が上りリンクでデータを送信する場合の動作例を示す図である。まず、移動局装置１−３（ＵＥ１）は、図５Ａで示した場所で上りリンクデータを送信するように基地局装置に指示される。つまり、下りリンク制御チャネルＰＤＣＣＨに割り当てられた上りリンクのスケジューリング情報を受信する。受信データ制御部５０は、上りリンク制御部６０に下りリンク制御チャネルＰＤＣＣＨの制御データを出力する。上りリンク制御部６０の制御データ解析部６２は、下りリンク制御チャネルの制御データを解析する。解析した結果、Ｕ１とＵ４でデータを送信可能であると判断すると、制御データ解析部６２は、上りリンク制御部６０の送信制御部６１に、上りリンクの送信データの配置情報および変調・符号化情報を出力する。送信制御部６１は、送信データ制御部２０に対して、位置Ｕ１を送信部１０−１で送信し、Ｕ４を送信部１０−２で送信するように指示し、変調・符号化部１１−１、１１−２に変調・符号化率を指示し、サブキャリアマッピング部１３−１、１３−２に上りリンクデータを配置する位置を指示する。また、上りリンク制御部６０の制御データ作成部６３は、ＲＦ制御部７０に対して送信部１０−１は周波数ｗ１に設定し、送信部１０−２は周波数ｗ２に設定するように指示する。そして、各送信部１０−１、１０−２から上りリンクの送信データが、１本のアンテナ１８−３で送信される。【００７８】
また、図５Ｂに示す例も、図５Ａと同様である。すなわち、図５Ｂでは、移動局装置１−３（ＵＥ１）は、図５Ｂで示した場所で上りリンクデータを送信するように基地局装置に指示される。ＲＦ制御部７０は、送信部１０−１を周波数ｗ１に設定し、送信部１０−２を周波数ｗ２に設定する。そして、移動局装置は、１本のアンテナ１８−３を用いて、位置Ｕ１を送信部１０−１で送信し、Ｕ２を送信部１０−２で送信する。【００７９】
以上のように、本実施形態によれば、同時に２つ以上のデータを異なる場所で同時に送信することができる。また、異なる送信部を使用しているので、１つの送信部ではシングルキャリア送信が行なわれる。これにより、ＰＡＰＲを低く抑えることが可能となる。【００８０】
次に、通常のＭＩＭＯでの上りリンクデータを送信する場合について説明する。図５Ｃに示すように、移動局装置１−３（ＵＥ１）は、図５Ｃで示した場所でＭＩＭＯでの上りリンクデータを送信するように基地局装置に指示される。つまり、下りリンク制御チャネルＰＤＣＣＨに割り当てられた上りリンクのスケジューリング情報を受信する。受信データ制御部５０は、上りリンク制御部６０に下りリンク制御チャネルＰＤＣＣＨの制御データを出力する。【００８１】
上りリンク制御部６０の制御データ解析部６２は、下りリンク制御チャネルの制御データを解析する。解析した結果、ＭＩＭＯを使用してのＵ１でデータを送信可能であると判断すると、制御データ解析部６２は、上りリンク制御部６０の送信制御部６１に、上りリンクの送信データの配置情報および変調・符号化情報を出力する。送信制御部６１は、送信データ制御部２０に対して、位置Ｕ１を送信部１０−１で送信し、同様にＵ１を送信部１０−２で送信するように指示する。変調・符号化部１１−１、１１−２に変調・符号化率を指示し、また、ＭＩＭＯ用の符号化も指示する。サブキャリアマッピング部１３−１、１３−２に上りリンクデータを配置する位置を指示する。上りリンク制御部６０の制御データ作成部６３は、ＲＦ制御部７０に対して送信部１０−１および送信部１０−２は周波数ｗ１に設定するように指示する。ＲＦ制御部７０は、指示された帯域の無線周波数にするように各ＲＦ部１７−１、１７−２に指示する。ＲＦ部１７−１、１７−２は指示された無線周波数にアップコンバートする。そして、各送信部１０−１、１０−２から上りリンクの送信データが、１本のアンテナ１８−３によって送信される。【００８２】
以上のように、本実施形態によれば、１本のアンテナであっても帯域毎にシングルキャリア送信をすることができる。また、システム帯域全体をカバーできると共に、移動局装置のＭＩＭＯ送信が可能となる。さらに、ＩＦＦＴのポイント数が少なくて済み、回路規模の縮小化を図ることが可能となる。【００８３】
（第４の実施形態）
第１から第３の実施形態では、１つの基地局装置と１つの移動局装置の例を示したが、本実施形態では、複数の基地局装置と１つの移動局装置の例について説明する。図１６は、２つの基地局装置と１つの移動局装置でネットワークＭＩＭＯを行なう場合の例を示す図である。ここで言う、ネットワークＭＩＭＯとは、複数の基地局装置の複数アンテナと移動局装置の複数アンテナを用いて、通常のＭＩＭＯと同様に同一周波数干渉環境下でも異なる信号系列の同時空間多重化伝送を可能とする技術のことをいう。ネットワークＭＩＭＯでは、送受信局間の反射物などによって複数の異なる伝搬路が形成されることを利用し、これらの複数の伝搬路情報を有効に使うことによって、空間多重化された複数の信号系列を復調する。この場合、複数の基地局装置に対して、下りリンクの無線伝搬路状況を示す下りリンクＣＱＩや下りリンクデータの応答を返さなければならない。【００８４】
なお、移動局装置の構成は、第１から第３の実施形態で示した移動局装置の構成であれば、どれを用いても良い。ここでは、第１の実施形態で示した移動局装置の構成で説明する。【００８５】
図１７は、基地局装置Ａ、Ｂが移動局装置に対して、それぞれが下りリンクでデータを割り当て、移動局装置がデータを受信した場合を示す図である。ここで、シングルキャリアによる送信の場合、このデータそれぞれに対して応答を送信することはできない。この場合、上りリンク制御部６０の制御データ作成部６３は、受信データ制御部５０からデータ受信情報を取得すると、送信データ制御部２０に２つの上りリンク制御チャネルの位置で応答を返すように指示する。【００８６】
制御データ作成部６３は、下りリンクデータに対する応答を作成し、送信データ制御部２０に応答データを出力する。また、各変調・符号化部１１−１、１１−２に変調方式、符号化率を設定し、各サブキャリアマッピング部１３−１、１３−２に応答データの配置を指示する。【００８７】
図１８は、移動局装置が上りリンクで制御データを送信する場合の動作例を示す図である。移動局装置１−１（ＵＥ１）は、図１７で示したＰＤＳＣＨの場所で下りリンクデータ（Ｄ１、Ｄ２）を受信する。両方のデータ受信が成功または失敗すると、受信データ制御部５０は、上りリンク制御部６０に対して、Ｄ１に対する応答（成功／失敗）は、図１８に示すＣ１１の位置で送信し、Ｄ２対する応答（成功／失敗）は、図１８に示すＣ２１位置で送信するように指示する。上りリンク制御部６０の制御データ作成部６３は、受信データ制御部５０から指示された下りリンクデータの応答を作成し、作成した応答データを、送信データ制御部２０に出力する。【００８８】
そして、制御データ作成部６３は、送信データ制御部２０に対して、Ｄ１の応答データを送信部１０−１で送信し、Ｄ２の応答データを送信部１０−２で送信するように指示し、変調・符号化部１１−１、１１−２に変調・符号化率を指示し、サブキャリアマッピング部１３−１、１３−２に、Ｃ１１およびＣ２１に応答データを配置するように指示する。そして、各送信部１０−１、１０−２から応答データが送信される。【００８９】
なお、本実施形態では、２アンテナの構成を示したが基地局装置のアンテナ数と同数以上のアンテナ本数がある移動局装置があれば、同様のことが可能である。また、それぞれの応答データに対して、基地局装置を識別するためのスクランブルコードを掛け合わせてもよい。【００９０】
以上のように、本実施形態によれば、同時に２つ以上の応答を同時に送信することができる。すなわち、下りリンクデータの応答や下りリンクＣＱＩ、上りリンクのデータ送信要求などの上りリンク制御データが同時に発生し、同時に発生した制御データを同時に送信したい場合でも、別々の送信部を使用することにより、異なる上りリンク制御データを異なる場所で同時に送信できる。また、異なる送信部を使用しているので、１つの送信部ではシングルキャリア送信が行なわれる。これにより、ＰＡＰＲを低く抑えることが可能となる。【００９１】
次に、移動局装置が上りリンクデータを送信する場合を説明する。図１９Ａ〜図１９Ｃは、移動局装置が上りリンクでデータを送信する場合の動作例を示す図である。まず、移動局装置１−１（ＵＥ１）は、図１９Ａで示した場所で上りリンクデータを送信するように基地局装置に指示される。つまり、下りリンク制御チャネルＰＤＣＣＨに割り当てられた上りリンクのスケジューリング情報を受信する。なお、基地局装置はそれぞれが下りリンク制御チャネルＰＤＣＣＨで上りリンクのスケジューリング情報を送信しても良いし、どちらか一方が下りリンク制御チャネルＰＤＣＣＨを使用して、上りリンクのスケジューリングを通知しても良い。【００９２】
受信データ制御部５０は、上りリンク制御部６０に下りリンク制御チャネルＰＤＣＣＨの制御データを出力する。上りリンク制御部６０の制御データ解析部６２は、下りリンク制御チャネルの制御データを解析する。解析した結果、Ｕ１１とＵ２４でデータを送信可能であると判断すると、制御データ解析部６２は、上りリンク制御部６０の送信制御部６１に、上りリンクの送信データの配置情報および変調・符号化情報を出力する。送信制御部６１は、送信データ制御部２０に対して、位置Ｕ１１を送信部１０−１で送信し、Ｕ２４を送信部１０−２で送信するように指示する。そして、変調・符号化部１１−１、１１−２に変調・符号化率を指示し、サブキャリアマッピング部１３−１、１３−２に上りリンクデータを配置する位置を指示する。そして、各送信部から上りリンクの送信データが送信される。【００９３】
また、図１９Ｂに示す例も、図１９Ａと同様である。すなわち、図１９Ｂでは、移動局装置１−１（ＵＥ１）は、図１９Ｂで示した場所で上りリンクデータを送信するように基地局装置に指示される。そして、移動局装置は、位置Ｕ１１を送信部１０−１で送信し、Ｕ２２を送信部１０−２で送信する。【００９４】
なお、本実施形態では、２アンテナの構成を示したが３アンテナ以上の場合でも同様である。【００９５】
以上のように、本実施形態によれば、同時に２つ以上のデータを異なる場所で同時に送信することができる。また、異なる送信部を使用しているので、１つの送信部ではシングルキャリア送信が行なわれる。これにより、ＰＡＰＲを低く抑えることが可能となる。【００９６】
次に、通常のＭＩＭＯでの上りリンクデータを送信する場合について説明する。図１９Ｃに示すように、移動局装置１−１（ＵＥ１）は、図１９Ｃで示した場所でＭＩＭＯでの上りリンクデータを送信するように基地局装置に指示される。つまり、下りリンク制御チャネルＰＤＣＣＨに割り当てられた上りリンクのスケジューリング情報を受信する。受信データ制御部５０は、上りリンク制御部６０に下りリンク制御チャネルＰＤＣＣＨの制御データを出力する。【００９７】
上りリンク制御部６０の制御データ解析部６２は、下りリンク制御チャネルの制御データを解析する。解析した結果、ＭＩＭＯを使用してのＵ１１、Ｕ２１でデータを送信可能であると判断すると、制御データ解析部６２は、上りリンク制御部６０の送信制御部６１に、上りリンクの送信データの配置情報および変調・符号化情報を出力する。送信制御部６１は、送信データ制御部２０に対して、位置Ｕ１１を送信部１０−１で送信し、同様にＵ２１を送信部１０−２で送信するように指示する。そして、変調・符号化部１１−１、１１−２に変調・符号化率を指示し、また、ＭＩＭＯ用の符号化も指示する。サブキャリアマッピング部１３−１、１３−２に上りリンクデータを配置する位置を指示する。そして、各送信部から上りリンクの送信データが送信される。【００９８】
以上のように、本実施形態によれば、複数のアンテナを用いＭＩＭＯ送信する送信部を適応的に制御することで、シングルキャリアの特性を維持したまま、複数の基地局装置に対して複数のデータを同時に送信することができる。また、実施形態２および実施形態３の移動局装置の構成でも同様に可能である。【００９９】
なお、本実施形態で示した移動局装置は、基地局装置との通信開始時に自移動局装置の能力、形態等を基地局装置に通知するようにしても良い。この場合、基地局装置は、移動局装置の能力、形態にあった下りリンクおよび上りリンクデータスケジューリングが行なえる。
【図１】
2010032687.tif 000003
【図２】
2010032687.tif 000004
【図３】
2010032687.tif 000005
【図４Ａ】
2010032687.tif 000006
【図４Ｂ】
2010032687.tif 000007
【図５Ａ】
2010032687.tif 000008
【図５Ｂ】
2010032687.tif 000009
【図５Ｃ】
2010032687.tif 000010
【図６】
2010032687.tif 000011
【図７Ａ】
2010032687.tif 000012
【図７Ｂ】
2010032687.tif 000013
【図８】
2010032687.tif 000014
【図９Ａ】
2010032687.tif 000015
【図９Ｂ】
2010032687.tif 000016
【図１０】
2010032687.tif 000017
【図１１】
2010032687.tif 000018
【図１２】
2010032687.tif 000019
【図１３Ａ】
2010032687.tif 000020
【図１３Ｂ】
2010032687.tif 000021
【図１４】
2010032687.tif 000022
【図１５Ａ】
2010032687.tif 000023
【図１５Ｂ】
2010032687.tif 000024
【図１６】
2010032687.tif 000025
【図１７】
2010032687.tif 000026
【図１８】
2010032687.tif 000027
【図１９Ａ】
2010032687.tif 000028
【図１９Ｂ】
2010032687.tif 000029
【図１９Ｃ】
2010032687.tif 000030
【国際調査報告】
2010032687.tif 000031
2010032687.tif 000032